(57)【要約】【課題】取り外し可能な方式によりポータブル電子機器の収納槽に収納できるアダプタを提供する。【解決手段】本発明は、アダプタ１及びアダプタ１を収納するポータブル電子機器を提供する。本発明のアダプタ１は、取り外し可能な方式でポータブル電子機器の収納槽に収納され、アダプタ１は、ベース１０、第一接続端子１２及び第二接続端子１４を備える。第一接続端子１２はベース１０に設置され、第二接続端子１４は第一接続端子１２に電気的に接続される。また、本発明のポータブル電子機器の表面には前述の収納槽が設置されて、アダプタ１を収納する。さらに、前記ポータブル電子機器は、使用者に前記アダプタ１を前記収納槽に収納することを促す機能を有する。【選択図】図1
2010219043.tif 000002
【特許請求の範囲】
【請求項１】
取り外し可能な方式でポータブル電子機器の収納槽に収納され、ふた部分を有するベースと、
前記ベースに設置される第一接続端子と、
前記第一接続端子に電気的に接続される第二接続端子とを備え、
前記収納槽に収納される時に、前記ふた部分が前記収納槽の開口部を覆うことを特徴とするアダプタ。
【請求項２】
前記ふた部分は、固定部を有することを特徴とする請求項１に記載のアダプタ。
【請求項３】
前記固定部は突起部であり、さらに、前記収納槽は穴を有して、前記突起部が前記穴にはまり込むことで前記収納槽と結合し、
前記収納槽に第一導磁素子が設置され、前記固定部に第二導磁素子を有して、前記第一導磁素子と前記第導磁素子が互いに引き合って前記収納槽と結合することを特徴とする請求項２に記載のアダプタ。
【請求項４】
前記ふた部分は、ゴムの縁を含んで、前記ふた部分と前記収納槽の接触面上に設置されることを特徴とする請求項１に記載のアダプタ。
【請求項５】
前記第二接続端子は、前記ベースに設置されることを特徴とする請求項１に記載のアダプタ。
【請求項６】
さらに、前記ベースから延びて、それぞれ前記第一接続端子及び前記第二接続端子に接続する接続ケーブルを備え、
このうち、前記ポータブル電子機器の前記収納槽は、相通じる主要収納空間及び拡張収納空間を含み、前記主要収納空間は前記ベース及び前記第一接続端子を収納するのに用いられ、前記拡張収納空間は前記接続ケーブル及び前記第二接続端子を収納するのに用いられることを特徴とする請求項１に記載のアダプタ。
【請求項７】
前記第一接続端子は、映像信号用コネクタ、USBコネクタ、PS/2コネクタ、シリアルポートコネクタ、S端子コネクタ、オーディオ用コネクタ、メモリカードコネクタから組成されるグループから選択されることを特徴とする請求項１に記載のアダプタ。
【請求項８】
その表面に設置される収納槽と、
取り外し可能な方式で前記収納槽に収納されて、ふた部分を有するベースと、
前記ベースに設置される第一接続端子と、
前記第一接続端子に電気的に接続される第二接続端子とを備えて、
前記アダプタが前記収納槽に収納される時、前記ふた部分が前記収納槽の開口部を覆うアダプタと、
電源がoffになった時アラーム信号を発する警告モジュールと、を備えることを特徴とするポータブル電子機器。
【請求項９】
前記収納槽中にボタンが設置されて、前記アダプタが前記収納槽から取り出されると、前記ボタンが開放されて前記ポータブル電子機器がモニタリング機能を起動させ、前記アダプタが前記収納槽に収納されると、前記アダプタが前記ボタンを押して前記モニタリング機能を終了させることを特徴とする請求項８に記載のポータブル電子機器。
【請求項１０】
前記警告モジュールは、発光モジュールまたはボイスモジュールでも可能であることを特徴とする請求項８に記載のポータブル電子機器。
【請求項１１】
前記収納槽は、相通じる主要収納空間及び拡張収納空間を含み、前記主要収納空間は前記ベース及び前記第一接続端子を収納するのに用いられ、前記拡張収納空間は前記第二接続端子を収納するのに用いられることを特徴とする請求項８に記載のポータブル電子機器。
【発明の詳細な説明】
【技術分野】
【０００１】
本発明はアダプタ(adapter)及びポータブル電子機器に関し、特に、取り外し可能な方式でポータブル電子機器に収納できるアダプタ及びアダプタが収納できるポータブル電子機器に関する。
【背景技術】
【０００２】
ノートパソコン、PDA(Personal Digital Assistant)、マルチメディアプレーヤー及び携帯電話等、現在の電子機器の多くは、いずれも接続ポートを有して、プリンタ、キーボード、マウス、フラッシュメモリ、インターネットケーブル、CDドライブ等の各種周辺設備に接続される。このような外付け方式によって、電子機器に高度な拡張機能をもたせる外、電子機器自身が搭載するデバイスの数量を少なくすることで、電子機器のポータブル化及び便利性を高めている。
【０００３】
周辺設備の種類は多く、接続ポートの型態やタイプも多様化している。例えば、一般的な接続ポートは、インターネットケーブル用接続ポート、モデム(Modem)用接続ポート、パラレルポート(Parallel port)、シリアルポート(Serial port)、USBポート、マウスキーボード用接続ポート(PS/2)、映像信号用接続ポート(例えば、VGAポート、DVIポート、S端子接続ポート)、挿入式メディアポート(外付けのディスクドライブまたは外付けのCDドライブに接続するのに用いる)、オーディオ信号用ポート(例えば、ヘッドホン接続ポート、マイク接続ポート)、メモリカード接続ポート等を含む。前述の接続ポートはいずれもソケット(Socket)または差し込み口（ジャック）を有して、周辺設備のプラグ(Plug)を挿入することで、電子機器が周辺設備に電気的に接続されて、電子機器の機能を発揮する。
【０００４】
ノートパソコンを例にすると、前述の接続ポートは、その多くがその本体の前、後、左、右の四つの側辺上に設置される。近年、ノートパソコンの電池はその多くが後部側面に設置されることから、接続ポートの位置はたいてい前、左、右の三つの側辺上に限定されることが多い。また、これは、ノートパソコンのポータブル性及び便利性を高め、軽量化及び薄型化がノーパソコンの設計上の主な目標であることもその理由である。しかしながら、ノートパソコンの厚みが薄くなるにつれて、VGAポート、PS/2ポート、シリアルポート等の一部の比較的大きい接続ポートは、ノートパソコン上に設置されることが困難になっている。
【０００５】
このため、一部のノートパソコンは、アダプタによる接続方式を採用しており、アダプタケーブルを介して大きな接続ポートを有する周辺デバイスをノートパソコンに接続している。したがって、ノートパソコンにはUSBポートのような小さい接続ポートのみが残され、必要時にのみ接続ケーブルをUSBポートに挿入して周辺デバイスに接続する。このようなアダプタによる接続方式を採用することで、ノートパソコンは大きい接続ポートを設置するための厚みを必要とせず、薄い体積の外観が可能となる。
【０００６】
しかしながら、アダプタケーブルは常時必要なパーツではないため、携帯するのを忘れやすく、必要時に周辺機器に接続できないという状況が発生する可能性がある外、アダプタケーブルを使用後に片付けるのを忘れてアダプタケーブルを遺失することも考えられる。
【発明の概要】
【発明が解決しようとする課題】
【０００７】
したがって、本発明は、取り外し可能な方式によりポータブル電子機器の収納槽に収納できるアダプタを提供することを課題とする。
【課題を解決するための手段】
【０００８】
上記課題を解決するために、本発明は、取り外し可能な方式によりポータブル電子機器の収納槽に収納できるアダプタを提供することを目的とする。
【０００９】
上記目的を達成するために、本発明のアダプタは、ベース、第一接続端子及び第二接続端子を備える。ベースはふた部分を有する。第一接続端子はベースに設置され、第二接続端子は第一接続端子に電気的に接続される。アダプタが収納槽に収納されると、ふた部分が収納槽の開口部を覆う。
【００１０】
上記課題を解決するために、本発明は、アダプタが収納できるポータブル電子機器も提供することを目的とする。
【００１１】
上記目的を達成するために、本発明のポータブル電子機器は、収納槽、前記アダプタ及び警告モジュールを備える。前記収納槽は前記ポータブル電子機器の表面に設置されて、前記アダプタを収納する。特に、前記ポータブル電子機器の電源がOFFになると、前記警告モジュールがアラーム信号を発して、使用者に前記アダプタを前記収納槽に収納することを促す。
【００１２】
このように、本発明のアダプタは、ポータブル電子機器中に収納されて、前記アダプタを本発明のポータブル電子機器及び周辺設備に接続すると、本発明のポータブル電子機器が適時使用者にアダプタを収納空間に収納するよう注意を促して、使用者がアダプタを忘れるのを回避する。
【発明の効果】
【００１３】
本発明のアダプタは、ポータブル電子機器中に収納されて、前記アダプタを本発明のポータブル電子機器及び周辺設備に接続すると、本発明のポータブル電子機器が適時使用者にアダプタを収納空間に収納するよう注意を促して、使用者がアダプタを忘れるのを回避する効果を有する。
【図面の簡単な説明】
【００１４】
【図１】本発明の実施例におけるアダプタの立体図。
【図２】本発明の実施例におけるアダプタの立体図。
【図３】本発明の実施例におけるアダプタの平面図。
【図４】本発明の実施例におけるアダプタの平面図。
【図５】本発明の実施例におけるアダプタの平面図。
【図６】本発明の実施例におけるノートパソコンの立体図。
【図７】本発明の実施例におけるアダプタの平面図。
【図８】本発明の実施例におけるアダプタの平面図。
【図９】本発明の実施例におけるアダプタの平面図。
【図１０】本発明の実施例におけるアダプタ及び前記アダプタを収納するポータブル電子機器を示した図。
【発明を実施するための形態】
【００１５】
以下に、図を参照しながら、本発明のポータブル電子機器に収納可能なアダプタ及びアダプタを収納するポータブル電子機器の具体的な実施例について説明する。
【００１６】
図1から図5までを同時に参照する。このうち、図1及び図2は、それぞれ本発明の具体的な実施例におけるアダプタの立体図である。図3から図5は、それぞれ本発明の具体的な実施例におけるアダプタの平面図である。
【００１７】
図に示すように、本発明のアダプタ1は、ベース10、第一接続端子12、第二接続端子14及び接続ケーブル16を備える。また、ベース10は、ふた部分100を含み、ふた部分100には突起部102及びマグネット104が設置されて固定部となる。第一接続端子12はベース10上に設置されて、第二接続端子14は第一接続端子12に接続される。実際には、ベース10とふた部分100は一体成型される。
【００１８】
適用の際は、第一接続端子12は、映像信号用コネクタ(例えば、VGAコネクタ、DVIコネクタ、HDMIコネクタ)、USBコネクタ、PS/2コネクタ、シリアルポートコネクタ、S端子コネクタ、オーディオ用コネクタ、メモリカードコネクタとして使用可能であるが、この限りではない。また、第二接続端子14は、例えば、USBコネクタ(例えば、mini-USBコネクタ、micro-USB コネクタ)、IEEE 1394コネクタ、オーディオ用コネクタ等として使用可能であるが、この限りではない。実際には、通常第一接続端子12の体積は第二接続端子14より大きい。
【００１９】
また、接続ケーブル16はベース10から延びており、それぞれ第一接続端子12及び第二接続端子14に接続される。実際には、接続ケーブル16はフレキシブルに回転湾曲可能で、操作上便利である。また、接続ケーブル16とベース10は、回転パーツ(図示なし)によって接続し、接続ケーブル16は回転パーツを中心にしてベース10に対応するように回転させることも可能である。また、接続ケーブル16の長さは必要に応じて調整することが可能である。
【００２０】
本発明は、さらにポータブル電子機器も提供することで、アダプタを収納する用途に用いる。実際の適用時には、前記ポータブル電子機器は、例えば、ノートパソコン、タブレットパソコン、PDA、マルチメディアプレーヤー、画像読み取り装置等が可能であるが、この限りではない。以下に、ノートパソコンを本発明のポータブル電子機器とした場合の具体的な実施例について説明する。
【００２１】
図6を参照しながら説明する。図6は本発明の実施例におけるノートパソコン2の立体図である。図に示したように、ノートパソコン2は、本体20及びディスプレイ22を備える。さらに、本体20は側面24及び底面26を有し、側面24に接続ポート240及びスピーカー242が、底面26に収納槽260が設置される。接続ポート240は前述のアダプタ1の第二接続端子14に接続される。さらに、図6中の収納槽260は図1から図5に示したアダプタ1を収納する。
【００２２】
図6に示したように、収納槽260は、互いに相通じる主要収納空間262及び拡張収納空間264を含む。主要収納空間262は、前述のアダプタ1のベース10及び第一接続端子12を収納し、拡張収納空間264は接続ケーブル16及び第二接続端子14を収納する。アダプタ1を収納する時は、先ず接続ケーブル16及び第二接続端子14を主要収納空間262及び拡張収納空間264の接続箇所から拡張収納空間264中に収納し、さらに、ベース10及び第一接続端子12を主要収納空間262に収納する。
【００２３】
また、収納槽260のエッジ領域2600はくぼみ穴2602を有する。アダプタ1のベース10及び第一接続端子12が傾斜角度によって主要収納空間262に収納される時、ふた部分100の突起部102がくぼみ穴2602中に進入し、アダプタ1のベース10及び第一接続端子12が完全に主要収納空間262に収納されると、ふた部分100がほぼ底面26を同一平面上に位置して、突起部102とくぼみ穴2602がかみ合い、アダプタ1と収納槽260が結合して、確実に収納槽260中に収納される。
【００２４】
さらに、収納槽260のエッジ領域2600は、金属片2604が設置される。アダプタ1のベース10及び第一接続端子12が主要収納空間262に収納され、ふた部分100のマグネット104と金属片2604が引き合って、アダプタ1と収納槽260が結合されて、確実に収納槽260中に収納される。マグネット104と金属片2604の位置は交換することも可能である。また、マグネット104と金属片2604は、磁力を有して互いに引き合う他の導磁素子に変更することも可能である。
【００２５】
アダプタ1が収納槽260に収納されると、ふた部分100の突起部102がくぼみ穴2602にかみ合わさり、さらに、マグネット104と金属片2604が互いに引き合って、アダプタ1が確実に収納槽260中に収納されると、ふた部分100は収納槽260を覆って、収納槽260のエッジ領域2600に密接に接触することにより、ふた部分100とノートパソコン2の底面26を平坦面を呈する。また、底面26上の収納槽260と隣接する箇所には、くぼみ部分268が設置されており、そこを押すことでアダプタ1を収納槽260中から取り出しやすくする設計がなされている。
【００２６】
また、本発明のノートパソコン2はさらに、使用者にアダプタ1を収納槽260に収納するよう注意を促す機能を有する。図6に示したとおり、本発明の実施例におけるノートパソコン2の収納槽260のエッジ領域2600には、ボタン266が設置される。アダプタ1を収納槽260に収納すると、アダプタ1のふた部分100はボタン266に緊密に接触し、収納槽260からアダプタ1を取り出すと、ボタン266が開放される。
【００２７】
ボタン266が開放されると、ノートパソコン2のモニタリング機能が起動し、ボタン266が押し込まれると、ノートパソコンがモニタリングを終了する。したがって、ノートパソコン2は以下の警告メカニズムを含むよう設計される。収納槽260からアダプタ1が取り出されると、ボタン266が開放されて、ノートパソコン2はモニタリングを開始する。使用者がノートパソコン2に電源を切るよう命令した時、アダプタ1が収納槽260中に収納されていないと、モニタリングが終了していないため、ノートパソコンはスピーカー242を通してアラームを発生させ、使用者にアダプタ1を収納するよう注意を促す。
【００２８】
また、本発明のノートパソコン2は、以下の警告メカニズムを備えるよう設計されることも可能である。使用者がノートパソコン2の電源を切った時、ノートパソコン2が使用者にアダプタ1を収納槽260中に収納するよう注意を促す。
【００２９】
またさらに、本発明のノートパソコン2は、以下の警告メカニズムを備えるよう設計されることも可能である。接続ポート240に第二接続端子14が接続されている時、使用者がノートパソコン2の電源を切ると、ノートパソコン2が使用者にアダプタ1を収納するよう注意を促す。
【００３０】
前述のメカニズムは、状況に応じて、ポータブル電子機器の基本入力出力システム(Basic Input/Output System, BIOS)により実行するか、ポータブル電子機器のオペレーティグシステムにより実行するか、オペレーティグシステム中に関連するソフトウェアをインストールして実行するかのいずれかによる。ここで注意したいのは、実際の適用時に、本発明のポータブル電子機器の警告メカニズムは、その他のメカニズムとなることが可能で、以上の例に限られるものではない。また、上述のスピーカー242以外に、本発明のポータブル電子機器は、その他のタイプの、例えば発行モジュールのような警告モジュールを備えて、使用者にアダプタを収納するよう注意を促すことも可能である。
【００３１】
さらに、図7から図9を参照しながら説明する。図7から図9は、それぞれ本発明の他の実施例におけるアダプタ3の平面図である。図に示したように、本実施例のアダプタ3は、同様にベース30、第一接続端子32及び第二接続端子34を備える。前述のアダプタ1と異なるのは、アダプタ3が含む第二接続端子34が直接ベース30上に設置される点である。したがって、接続ケーブルを必要とせず、アダプタ3の体積縮小が可能である。
【００３２】
実際の適用時には、第一接続端子32の第一接続方向D1と第二接続端子34の第二接続方向D2の間の夾角によって調整する。例えば、図7では、第一接続方向D1と第二接続方向D2の夾角が約180度である。実際には、第一接続方向D1と第二接続方向D2の夾角は、90度から180度の間であるが、この限りではない。
【００３３】
また、図7に示したように、本実施例のアダプタ3のベース10は、同様にふた部分300を含む。さらに、ふた部分300は、前述の突起部302、ゴムの縁304及びくぼみ部分306を含む。
【００３４】
図10を同時に参照しながら説明する。図10は、本発明の実施例におけるアダプタ3及び前記アダプタ3を収納するポータブル電子機器4を示した図である。図に示したとおり、本実施例のポータブル電子機器4の表面40上には収納槽460が設置される。また、収納槽460は同様に、相通じる主要収納空間462及び拡張収納空間464を含む。さらに、収納槽460のエッジ領域4600上には同様にくぼみ穴4602が設置される。
【００３５】
アダプタ3が収納槽460に収納されると、先ず第二接続端子34が主要収納空間462及び拡張収納空間464の接続箇所から、拡張収納空間464中に挿入され、さらに、ベース30及び第一接続端子32が主要収納空間462に収納される。
【００３６】
アダプタ3のベース30及び第一接続端子32が傾斜角度によって主要収納空間462に挿入されると、ふた部分300の突起部302がくぼみ穴4602中に進入して、アダプタ3のベース30及び第一接続端子32が完全に主要収納空間462に収納されることで、ふた部分300がほぼ底面46と同じ平面上に位置して、突起部302がくぼみ穴4602にはまり込むことで、アダプタ3が確実に収納槽460中に収納される。
【００３７】
実際の適用時には、本発明のポータブル電子機器の収納槽の側壁に穴が設置されて、アダプタの第二接続端子を通すことで、アダプタのベース及び第一接続端子が進入し、収納槽に収納される。言い換えれば、前述のポータブル電子機器の拡張収納空間は穴によってこれに取って代わることが可能である。
【００３８】
また、アダプタ3が収納槽460に収納されると、ゴムの縁304とエッジ領域4600が緊密に接合して、塵や埃、水等が収納槽460中に進入するのを回避する。ふた部分300のくぼみ部分306は、そこを押してアダプタ3を収納槽460から取り出す際に便利な設計となっている。
【００３９】
本実施例において、ポータブル電子機器4は同様に、使用者にアダプタ3を収納槽460中に収納するよう注意を促す。さらに、関連する警告メカニズムは前述の内容と同様であるためここでは詳述しない。
【００４０】
従来の技術と比較すると、本発明のアダプタは、ポータブル電子機器中に収納することが可能な上、このアダプタによって本発明のポータブル電子機器及び周辺デバイスに接続した場合、本発明のポータブル電子機器は、適時に使用者にアダプタを収納槽に収納するよう注意を促し、アダプタが遺失するのを回避する。
【００４１】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００４２】
1、3  アダプタ
10、30  ベース
100、300  ふた部分
102、302  突起部
104  マグネット
12、32  第一接続端子
14、34  第二接続端子
16  接続ケーブル
2  ノートパソコン
20  本体
22  ディスプレイ
24  側面
240  接続ポート
242  スピーカー
26  底面
260、460  収納槽
2600、4600  エッジ領域
2602、4602  くぼみ穴
2604  金属片
262、462  主要収納空間
264、464  拡張収納空間
266  ボタン
268、306  くぼみ部分
304  ゴムの縁
4  ポータブル電子機器
40  表面
【図１】
2010219043.tif 000003
【図２】
2010219043.tif 000004
【図３】
2010219043.tif 000005
【図４】
2010219043.tif 000006
【図５】
2010219043.tif 000007
【図６】
2010219043.tif 000008
【図７】
2010219043.tif 000009
【図８】
2010219043.tif 000010
【図９】
2010219043.tif 000011
【図１０】
2010219043.tif 000012